(57)【要約】【課題】ＨＤＭＩにより相互接続されるソース機器及びシンク機器において、機器同士の接続後の映像出力までの時間を短縮する。【解決手段】信号入力システムＡのソース機器１００において、送信手段は、ＨＤＭＩケーブルＣ１におけるホットプラグラインＬ３を介して、映像信号のフォーマットに対応する電圧値のフォーマット信号をシンク機器２００に送信し、シンク機器２００において、受信手段（フォーマット信号受信プログラム２７３ａ等）は、送信手段によりホットプラグラインＬ３を介して送信されたフォーマット信号を受信し、判定手段（判定プログラム２７３ｂ等）は、受信手段により受信されたフォーマット信号の電圧値に基づいて、映像信号のフォーマットを判定し、設定手段（設定プログラム２７３ｃ等）は、判定手段による判定結果に基づいて、映像出力の設定を行う。【選択図】図３
2008288958.tif 000002
【特許請求の範囲】
【請求項１】
ソース機器からシンク機器に、ＨＤＭＩを介して映像信号を入力可能な信号入力システムにおいて、
前記ソース機器は、
前記ＨＤＭＩにおける所定の第１のラインを介して、前記映像信号のフォーマットに対応する電圧値のフォーマット信号を、前記シンク機器に送信する送信手段を備え、
前記シンク機器は、
前記送信手段により、前記第１のラインを介して送信された前記フォーマット信号を受信する受信手段と、
前記受信手段により受信された前記フォーマット信号の電圧値に基づいて、映像信号のフォーマットを判定する判定手段と、
前記判定手段による判定結果に基づいて、映像出力の設定を行う設定手段と、
を備えることを特徴とする信号入力システム。
【請求項２】
前記第１のラインは、前記ソース機器及び前記シンク機器が接続されていることを示すホットプラグ信号を送受信するためのラインであり、前記フォーマット信号は、当該ホットプラグ信号としての機能を有することを特徴とする請求項１に記載の信号入力システム。
【請求項３】
前記ソース機器は、
前記ＨＤＭＩにおける所定の第２のラインを介して、音声信号のフォーマットに対応する電圧値の第２フォーマット信号を、前記シンク機器に送信する第２送信手段を備え、
前記シンク機器は、
前記第２送信手段により、前記第２のラインを介して送信された前記第２フォーマット信号を受信する第２受信手段と、
前記第２受信手段により受信された前記第２フォーマット信号の電圧値に基づいて、音声信号のフォーマットを判定する第２判定手段と、
前記第２判定手段による判定結果に基づいて、音声出力の設定を行う第２設定手段と、
を備えることを特徴とする請求項１又は２に記載の信号入力システム。
【請求項４】
ソース機器からシンク機器に、ＨＤＭＩを介して映像信号及び音声信号を入力可能な信号入力システムにおいて、
前記ソース機器は、
前記ＨＤＭＩにおける所定の第１のラインを介して、前記映像信号のフォーマットに対応する電圧値の第１フォーマット信号を、前記シンク機器に送信する第１送信手段と、
前記ＨＤＭＩにおける所定の第２のラインを介して、前記音声信号のフォーマットに対応する電圧値の第２フォーマット信号を、前記シンク機器に送信する第２送信手段と、
を備え、
前記シンク機器は、
前記第１送信手段により、前記第１のラインを介して送信された前記第１フォーマット信号を受信する第１受信手段と、
前記第２送信手段により、前記第２のラインを介して送信された前記第２フォーマット信号を受信する第２受信手段と、
前記第１受信手段により受信された前記第１フォーマット信号の電圧値に基づいて、映像信号のフォーマットを判定する第１判定手段と、
前記第２受信手段により受信された前記第２フォーマット信号の電圧値に基づいて、音声信号のフォーマットを判定する第２判定手段と、
前記第１判定手段による判定結果に基づいて、映像出力の設定を行う第１設定手段と、
前記第２判定手段による判定結果に基づいて、音声出力の設定を行う第２設定手段と、
を備え
前記第１のラインは、前記ソース機器及び前記シンク機器が接続されていることを示すホットプラグ信号を送受信するためのラインであり、前記第１フォーマット信号又は前記第２フォーマット信号は、当該ホットプラグ信号としての機能を有することを特徴とする信号入力システム。
【発明の詳細な説明】
【技術分野】
【０００１】
本発明は、ソース機器及びシンク機器の間で信号の送受信を行う信号入力システムに関する。
【背景技術】
【０００２】
近年、ＤＶＩ（Digital Visual Interface）を拡張したＨＤＭＩ（High Definition Multimedia Interface）という規格が実用化されている。ＨＤＭＩは、デジタル形式の非圧縮の映像信号や音声信号を、複数のフォーマットで伝送することができる。
【０００３】
しかしながら、従来の信号入力システムでは、ソース機器とシンク機器を接続してから、シンク機器側に映像を映出させるまでに、時間がかかり過ぎてしまうという問題があった。
具体的には、従来の信号入力システムにおいて映像等を出力するためには、まず、ホットプラグラインにより伝送されるホットプラグ信号に基づいて、両機器同士の接続を検出する。その後、シンク機器からソース機器に対して、当該シンク機器が対応する映像信号のフォーマット等を示すＥＤＩＤ（Extended Display Identification Data）データを送信する。このＥＤＩＤデータは、シンク機器における映像信号のフォーマット（例えば、表示解像度、映像フレーム周期、信号形式等）や、音声信号のフォーマット（例えば、サンプルビット数、サンプリング周波数、信号形式等）を示すデータであり、ＤＤＣ（Display Data Channel）ラインを介して送受信される。そして、ソース機器では、受信したＥＤＩＤデータに基づいて、映像信号を所定のフォーマットに変換し、当該映像信号を、ｉｎｆｏ情報とともにシンク機器に送信する。一方、シンク機器では、ソース機器から送信されるＩｎｆｏ情報に基づいて、映像ＩＣ等を設定し、その後ミュートを解除して、ソース機器から送信される映像信号に基づく映像表示が開始されることとなる。
【０００４】
そこで、例えば、特許文献１には、映像端子を介して信号の電圧レベルを調べることで、テレビモニタから表示解像度の情報を受信し、その解像度に応じて表示を行うことで、モニタの表示可能な領域を有効に使って、自動的に最適な表示を行うことができる表示制御装置が開示されている。
【特許文献１】特開２００２−２４７４７４号公報
【発明の開示】
【発明が解決しようとする課題】
【０００５】
上述の特許文献１によれば、ＥＤＩＤデータの代わりに、映像端子からの信号の電圧レベルに基づいて表示解像度を検出できることとなる。
しかしながら、上記特許文献１の技術を、ＨＤＭＩケーブルにより接続されるソース機器及びシンク機器により行われる信号入力システムに適用した場合であっても、ソース機器及びシンク機器がＨＤＭＩケーブルにより相互に接続されたことを検出し、その後、映像端子からの信号の電圧レベルに基づいて映像信号の表示解像度を検出して、検出された表示解像度に基づいて映像ＩＣ等の設定を行った後でなければ、映像の出力を行うことができないため、依然として、映像を映出するまでの遅滞の問題が残ることとなる。
【０００６】
本発明の課題は、ＨＤＭＩにより相互接続されるソース機器及びシンク機器において、機器同士の接続後の映像出力までの時間を短縮することである。
【課題を解決するための手段】
【０００７】
上記課題を解決するため、請求項１に記載の発明は、ソース機器からシンク機器に、ＨＤＭＩを介して映像信号を入力可能な信号入力システムにおいて、
前記ソース機器は、
前記ＨＤＭＩにおける所定の第１のラインを介して、前記映像信号のフォーマットに対応する電圧値のフォーマット信号を、前記シンク機器に送信する送信手段を備え、
前記シンク機器は、
前記送信手段により、前記第１のラインを介して送信された前記フォーマット信号を受信する受信手段と、
前記受信手段により受信された前記フォーマット信号の電圧値に基づいて、映像信号のフォーマットを判定する判定手段と、
前記判定手段による判定結果に基づいて、映像出力の設定を行う設定手段と、
を備えることを特徴とする。
【０００８】
請求項２に記載の発明は、請求項１に記載の信号入力システムにおいて、前記第１のラインは、前記ソース機器及び前記シンク機器が接続されていることを示すホットプラグ信号を送受信するためのラインであり、前記フォーマット信号は、当該ホットプラグ信号としての機能を有することを特徴とする。
【０００９】
請求項３に記載の発明は、請求項１又は２に記載の信号入力システムにおいて、前記ソース機器は、
前記ＨＤＭＩにおける所定の第２のラインを介して、音声信号のフォーマットに対応する電圧値の第２フォーマット信号を、前記シンク機器に送信する第２送信手段を備え、
前記シンク機器は、
前記第２送信手段により、前記第２のラインを介して送信された前記第２フォーマット信号を受信する第２受信手段と、
前記第２受信手段により受信された前記第２フォーマット信号の電圧値に基づいて、音声信号のフォーマットを判定する第２判定手段と、
前記第２判定手段による判定結果に基づいて、音声出力の設定を行う第２設定手段と、
を備えることを特徴とする。
【００１０】
請求項４に記載の発明は、ソース機器からシンク機器に、ＨＤＭＩを介して映像信号及び音声信号を入力可能な信号入力システムにおいて、
前記ソース機器は、
前記ＨＤＭＩにおける所定の第１のラインを介して、前記映像信号のフォーマットに対応する電圧値の第１フォーマット信号を、前記シンク機器に送信する第１送信手段と、
前記ＨＤＭＩにおける所定の第２のラインを介して、前記音声信号のフォーマットに対応する電圧値の第２フォーマット信号を、前記シンク機器に送信する第２送信手段と、
を備え、
前記シンク機器は、
前記第１送信手段により、前記第１のラインを介して送信された前記第１フォーマット信号を受信する第１受信手段と、
前記第２送信手段により、前記第２のラインを介して送信された前記第２フォーマット信号を受信する第２受信手段と、
前記第１受信手段により受信された前記第１フォーマット信号の電圧値に基づいて、映像信号のフォーマットを判定する第１判定手段と、
前記第２受信手段により受信された前記第２フォーマット信号の電圧値に基づいて、音声信号のフォーマットを判定する第２判定手段と、
前記第１判定手段による判定結果に基づいて、映像出力の設定を行う第１設定手段と、
前記第２判定手段による判定結果に基づいて、音声出力の設定を行う第２設定手段と、
を備え
前記第１のラインは、前記ソース機器及び前記シンク機器が接続されていることを示すホットプラグ信号を送受信するためのラインであり、前記第１フォーマット信号又は前記第２フォーマット信号は、当該ホットプラグ信号としての機能を有することを特徴とする。
【発明の効果】
【００１１】
本発明によれば、ソース機器において、送信手段により、ＨＤＭＩにおける所定の第１のラインを介して、映像信号のフォーマットに対応する電圧値のフォーマット信号が、シンク機器に送信され、シンク機器において、受信手段により、送信手段により、第１のラインを介して送信されたフォーマット信号が受信され、判定手段により、受信手段により受信されたフォーマット信号の電圧値に基づいて、映像信号のフォーマットが判定され、設定手段により、判定手段による判定結果に基づいて、映像出力の設定が行われる。
したがって、映像信号を入力可能なＨＤＭＩ端子により相互接続されるソース機器及びシンク機器において、機器同士の接続後のタイミングで、シンク機器が、第１のラインから送信されるフォーマット信号に基づいてソース機器から送信される映像信号のフォーマットを検出することにより、機器同士の接続後の映像出力までの時間を短縮することが可能となる。
【発明を実施するための最良の形態】
【００１２】
以下、本発明の実施の形態について、図面を参照しながら説明を行う。
【００１３】
（実施形態１）
まず、実施形態１の信号入力システムＡの全体構成について、図１を参照しながら説明する。
本実施形態１の信号入力システムＡは、ソース機器１００とシンク機器２００が、ＨＤＭＩ規格のＨＤＭＩケーブルＣ１により、相互に接続されており、ソース機器１００からシンク機器２００に対して、映像信号や音声信号が伝送される。
【００１４】
ＨＤＭＩケーブルＣ１は、例えば、映像信号や音声信号をＴＭＤＳ形式で送受信するためのＴＭＤＳラインＬ１と、ＥＤＩＤデータを送受信するためのＤＤＣラインＬ２と、ソース機器１００及びシンク機器２００が接続されたことを検出するためのホットプラグラインＬ３（第１のライン）等を備えている。このホットプラグラインＬ３は、ＨＤＭＩケーブルＣ１の接続状態を示すためのホットプラグ信号を伝送するためのラインであり、ソース機器１００及びシンク機器２００の制御部１６、２７（図２及び図３参照）同士を接続し、両機器１００、２００が接続された際に、各機器１００、２００の制御部１６、２７間で最も早く信号の送受信が行われるように構成されている。なお、ＨＤＭＩ端子１４１、２１１のピン配列では、ホットプラグラインＬ３は、例えば、１９ピンに割り当てられる。
本実施形態１の信号入力システムＡでは、当該ホットプラグラインＬ３を介して伝送される信号の電圧値を、ソース機器１００側からシンク機器２００に送信される映像信号のフォーマットに対応させて可変とし、これを、両機器１００、２００間が接続されたことを示すとともに、送信される映像信号のフォーマットを示すフォーマット信号として用いることにより、ケーブル接続判定後の映像出力までの時間の短縮を実現する。
【００１５】
また、本実施形態１の信号入力システムＡでは、フォーマット信号の示す映像信号のフォーマットを、映像信号の走査線数（有効走査線数）と、走査方式（すなわち、インターレース方式／プログレッシブ方式）であるものとして説明する。しかしながら、フォーマット信号の示す映像信号のフォーマットは、これに限らずとも良い。またフォーマット信号を伝送するラインの種類も、ホットプラグラインＬ３に限られず、さらに、伝送するフォーマット信号の内容に合わせて２つ以上のラインを用いてフォーマット信号を伝送しても良い。
【００１６】
（ソース機器の構成）
次に、図２を参照しながら、ソース機器１００の構成について説明する。ソース機器１００は、例えば、ＤＶＤ(Digital Versatile Disc)プレーヤ等の再生装置であり、シンク機器２００とＨＤＭＩケーブルＣ１により接続されている。そして、ＤＶＤに記録された映像信号等を再生し、再生した映像信号をシンク機器２００に対して送信する。
【００１７】
ソース機器１００は、例えば、図示しないＤＶＤに記録された映像データを読み出す再生部１１と、再生部１１において読み出された映像データに所定のデコード処理を行うデコーダ部１２と、デコーダ部１２から出力される映像データを、制御部１６に指示に従って所定の映像フォーマットに変換するフォーマット変換部１３と、フォーマット変換部１３から入力される映像データをシンク機器２００等の外部機器に送信する通信部１４と、ユーザが各種指示を入力するためのキー操作部１５と、ソース機器１００の各部を統括制御する制御部１６と、等を備えて構成されている。
【００１８】
再生部１１は、例えば、ＤＶＤの反射層にレーザ光を照射し、光電変換及び電流電圧変換によって反射光に応じた電圧信号を生成することにより、ＤＶＤに記録された映像データ等を読み出して、読み出した映像データ等をデコーダ部１２に出力する。
【００１９】
デコーダ部１２は、例えば、図示は省略するが、分離部、ビデオデコーダ、オーディオデコーダ等を備えて構成されており、分離部において、再生部１１から入力されたコンテンツデータを映像データ、音声データ、副映像データ等の複数のデータに分離し、分離した映像データをビデオデコーダに、映像データをオーディオデコーダに出力する。そして、分離された映像データを、ビデオデコーダにおいてデコードし、分離された音声データを、オーディオデコーダにおいてデコードする。
【００２０】
フォーマット変換部１３は、例えば、図示は省略するが、拡大フィルタ、縮小フィルタ、画像メモリ等を備えて構成され、後述の映像信号送信プログラム１６３ｃの実行において、制御部１６による制御に従い、デコーダ部１２から出力される映像信号を、送信フォーマット記憶部１６２２ａに記憶されるフォーマットに変換して、通信部１４に出力する。
具体的には、フォーマット変換部１３は、入力される映像データの映像フォーマットが送信する映像フォーマットよりも低解像度の場合、画像メモリに書き込んだ映像信号を読み出す際に拡大フィルタにより拡大して、高解像度変換処理を行う。また、入力される映像データの映像フォーマットが送信する映像フォーマットよりも高解像度の場合、画像メモリに書き込む際に縮小フィルタにより縮小して、低解像度変換処理を行う。また、デコーダ部１２から入力される映像データのフォーマットが、フォーマット記憶部に記憶された映像フォーマットと同一の場合には、フォーマット変換は行わずに後段に出力する。
【００２１】
通信部１４は、ＨＤＭＩ規格に対応するＨＤＭＩ端子１４１を備え、当該ＨＤＭＩ端子１４１と、シンク機器２００に備わるＨＤＭＩ端子２１１（後述）と、を接続するＨＤＭＩケーブルＣ１を介して、シンク機器２００との間で、映像信号や制御信号等の各種信号の伝送を行う。
具体的には、通信部１４は、後述のフォーマット信号送信プログラム１６３ａの実行において、ＨＤＭＩケーブルＣ１のホットプラグラインＬ３を介して、シンク機器２００及びソース機器１００の接続状態と、送信する映像信号のフォーマットと、を示すフォーマット信号を、シンク機器２００側に送信する。
また、後述する映像信号送信プログラム１６３ａの実行において、再生部１１において再生された映像信号を、ＨＤＭＩケーブルＣ１のＴＭＤＳラインＬ１を介してシンク機器２００に送信する。
【００２２】
キー操作部１５は、例えば、ユーザが各種指示を入力するための複数のキーを備えており、ユーザによりキーの押下操作がなされると、押下されたキーに対応する入力操作信号を制御部１６に出力する。
【００２３】
制御部１６は、ＣＰＵ（Central Processing Unit）１６１、メモリ部１６２、ＲＯＭ（Read Only Memory）１６３等を備えて構成されている。
【００２４】
ＣＰＵ１６１は、ソース機器１００の各部から入力された入力信号や、キー操作部１５における各種キーの押下操作に基づく入力操作信号等に応じて、ＲＯＭ１６３に格納された各種プログラムを実行するとともに、実行にかかるプログラムに基づいてソース機器１００の各部に出力信号を出力することにより、ソース機器１００の動作全般を統括制御する。
【００２５】
メモリ部１６２は、例えば、ＲＡＭ（Random Access Memory）等の揮発性メモリからなるワークエリア１６２１を備えており、ＣＰＵ１６１によって各種プログラムが実行される際に生じる処理結果や、入力されたデータ等をこのワークエリア１６２１に記憶させる。
【００２６】
また、メモリ部１６２は、ＥＰＲＯＭ（Erasable Programmable ROM）等の不揮発性メモリからなるデータエリア１６２２を備えている。データエリア１６２２には、例えば、送信フォーマット記憶部１６２２ａが設けられている。
送信フォーマット記憶部１６２２ａは、シンク機器２００に送信する映像信号のフォーマットを記憶しており、当該送信フォーマット記憶部１６２２ａに記憶されたフォーマットに基づくフォーマットに変換されて、映像信号が送信されることとなる。
【００２７】
ＲＯＭ１６３は、例えば、不揮発性メモリからなるプログラム格納エリアを有しており、具体的には、フォーマット信号送信プログラム１６３ａ、ＥＤＩＤ確認プログラム１６３ｂ、映像信号送信プログラム１６３ｃ等を格納している。
【００２８】
フォーマット信号送信プログラム１６３ａは、例えば、ＣＰＵ１６１に、ＨＤＭＩにおけるホットプラグラインＬ３を介して、映像信号のフォーマットに対応する電圧値のフォーマット信号を、シンク機器２００に送信する機能を実現させるためのプログラムである。
具体的には、ＣＰＵ１６１は、シンク機器２００が接続されたことを示すフォーマット信号を供給するホットプラグラインＬ３の電圧値を、図示しない電圧検出回路により監視するとともに、送信フォーマット記憶部１６２２ａに基づいて、シンク機器２００に対して送信する映像信号のフォーマットに対応する電圧値のフォーマット信号を生成する。そして、ソース機器１００とシンク機器２００とが、ＨＤＭＩケーブルＣ１により接続された場合に、生成されたフォーマット信号が、通信部１４のＨＤＭＩ端子１４１から、ＨＤＭＩケーブルＣ１のホットプラグラインＬ３を介して、シンク機器２００に対して送信されることとなる。このフォーマット信号は、シンク機器２００に対して、ソース機器１００が接続されたことを示す機能を果たすとともに、ソース機器１００からシンク機器２００に送信される映像信号のフォーマットを、シンク機器２００側に知らせる機能を果たす。
ＣＰＵ１６１は、かかるフォーマット信号送信プログラム１６３ａを実行することにより、ＨＤＭＩ端子１４１とともに送信手段として機能する。
【００２９】
ＥＤＩＤ確認プログラム１６３ｂは、例えば、ＣＰＵ１６１に、シンク機器２００から、ＨＤＭＩを介して送信されるＥＤＩＤデータを受信して、送信する映像信号のフォーマットを確認する機能を実現させるためのプログラムである。
具体的には、ＣＰＵ１６１は、シンク機器２００から、ＨＤＭＩケーブルＣ１のＤＤＣラインＬ２により、シンク機器２００が表示可能な映像フォーマットに関するデータであるＥＤＩＤデータが送信されると、当該ＥＤＩＤデータを通信部１４のＨＤＭＩ端子１４１により受信し、受信したＥＤＩＤデータに基づいて、ソース機器１００側から送信する映像信号のフォーマットに、シンク機器２００が対応しているか否かを判断する。
【００３０】
映像信号送信プログラム１６３ｃは、例えば、ＣＰＵ１６１に、通信部１４のＨＤＭＩ端子１４１から、ＨＤＭＩケーブルＣ１を介して、映像信号をシンク機器２００に送信する機能を実現させるためのプログラムである。
具体的には、ＣＰＵ１６１は、前述のＥＤＩＤ確認プログラム１６３ｂの実行において、シンク機器２００から送信されたＥＤＩＤデータに基づいて、送信する映像信号のフォーマットに、シンク機器２００が対応しているかの判断を行い、送信する映像信号のフォーマットにシンク機器２００が対応していると判断した場合には、再生部１１により再生される映像信号を、フォーマット変換部１３において、送信フォーマット記憶部１６２２ａに記憶されたフォーマットに変換し、ＨＤＭＩケーブルＣ１のＴＭＤＳラインＬ１により、シンク機器２００に対して送信する。また、ＣＰＵ１６１は、送信する映像信号のフォーマットに、シンク機器２００が対応していないと判断した場合には、受信したＥＤＩＤデータに基づいて、再生部１１により再生される映像信号を、フォーマット変換部１３において、送信フォーマット記憶部１６２２ａに記憶されたフォーマットよりも下位のフォーマットに変換し、ＨＤＭＩケーブルＣ１のＴＭＤＳラインＬ１により、シンク機器２００に対して送信する。
【００３１】
（シンク機器の構成）
次に、図３を参照しながら、シンク機器２００の構成について説明する。シンク機器２００は、例えば、テレビジョン受像機等の表示装置であり、ソース機器１００と、ＨＤＭＩケーブルＣ１により接続されている。そして、ソース機器１００から入力される映像信号に基づいて、ディスプレイ２４ａに映像を表示させる。
【００３２】
シンク機器２００は、ソース機器１００等の外部機器との間で、映像信号や制御信号等の各種信号を伝送する通信部２１と、映像信号に対して所定の映像処理を行う映像処理部２２と、音声信号に対して所定の音声処理を行う音声処理部２３と、映像処理部２２から入力される映像データに基づいて映像を表示する表示部２４と、音声処理部２３から入力される音声データに基づいて音声を出力する音声出力部２５と、ユーザが各種指示を入力するためのキー操作部２６と、シンク機器２００の各部を統括制御する制御部２７と、等を備えて構成されている。
【００３３】
通信部２１は、ＨＤＭＩ規格に対応するＨＤＭＩ端子２１１を備え、当該ＨＤＭＩ端子２１１と、ソース機器１００のＨＤＭＩ端子１４１と、を接続するＨＤＭＩケーブルＣ１を介して、ソース機器１００との間で、映像信号や制御信号等の各種信号の伝送を行う。
具体的には、通信部２１は、後述のフォーマット信号受信プログラム２７３ａの実行において、ＨＤＭＩケーブルＣ１のホットプラグラインＬ３を介して、ソース機器１００から送信されるフォーマット信号を受信する。また、後述の映像信号受信プログラム２７３ｅの実行において、ＨＤＭＩケーブルＣ１のＴＭＤＳラインＬ１を介してソース機器１００から送信される映像信号を受信する。
【００３４】
映像処理部２２は、入力される映像データに対して各種の映像処理を行って、映像信号を生成するとともに、生成した映像信号を表示部２４に出力する。
音声処理部２３は、切換部から入力される音声データに対して各種の音声処理を行って、音声信号を生成するとともに、生成した音声信号を音声出力部２５に出力する。
【００３５】
表示部２４は、例えば、ＬＣＤ(Liquid Crystal Display)等のディスプレイ２４ａを備えており、映像処理部２２から入力された映像データに基づく映像を当該ディスプレイ２４ａに表示する。
音声出力部２５は、スピーカ２５ａ等を備え、音声処理部２３から入力された音声データに基づく音声をスピーカ２５ａから出力する。
【００３６】
キー操作部２６は、例えば、ユーザが各種指示を入力するための複数のキーを備えており、ユーザによりキーの押下操作がなされると、押下されたキーに対応する入力操作信号を制御部２７に出力する。
【００３７】
制御部２７は、ＣＰＵ２７１、メモリ部２７２、ＲＯＭ２７３等を備えて構成されている。
【００３８】
ＣＰＵ２７１は、シンク機器２００の各部から入力された入力信号や、キー操作部２６における各種キーの押下操作に基づく入力操作信号等に応じて、ＲＯＭ２７３に格納された各種プログラムを実行するとともに、実行にかかるプログラムに基づいてシンク機器２００の各部に出力信号を出力することにより、シンク機器２００の動作全般を統括制御する。
【００３９】
メモリ部２７２は、例えば、ＲＡＭ等の揮発性メモリからなるワークエリア２７２１を備えており、ＣＰＵ２７１によって各種プログラムが実行される際に生じる処理結果や、入力されたデータ等をこのワークエリア２７２１に記憶させる。
また、メモリ部２７２は、ＥＰＲＯＭ等の不揮発性メモリからなるデータエリア２７２２を備えている。
【００４０】
データエリア２７２２には、例えば、ＥＤＩＤ記憶部２７２２ａ、対応映像フォーマット記憶部２７２２ｂ、設定フォーマット記憶部２７２２ｃが備わる。
ＥＤＩＤ記憶部２７２２ａは、当該シンク機器２００が表示可能な映像フォーマットに関するデータを記憶する。
【００４１】
対応映像フォーマット記憶部２７２２ｂは、図４に示すように、ホットプラグラインＬ３を介して送受信されるフォーマット信号の電圧値と、映像信号の各フォーマット（有効走査線数・走査方式）と、をそれぞれ対応づけて記憶している。ＣＰＵ２７１は、後述の判定プログラム２７３ｂの実行において、当該対応映像フォーマット記憶部２７２２ｂを参照して、ソース機器１００からホットプラグラインＬ３を介して送信されるフォーマット信号の電圧値に対して対応付けられているフォーマットを、ソース機器１００から送信される映像信号のフォーマットとして判定する。例えば、図４の対応映像フォーマット記憶部２７２２ｂでは、５Ｖに１０８０ｐ、４Ｖに７２０ｐ、３Ｖに１０８０ｉ、２Ｖに４８０ｐ、１Ｖに４８０ｉが対応付けられている。
【００４２】
設定フォーマット記憶部２７２２ｃは、図５に示すように、ソース機器１００から送信される映像信号のフォーマットに関する映像フォーマット情報を、ソース機器１００の機器ＩＤに対応づけて記憶している。ＣＰＵ２７１は、後述の設定プログラム２７３ｃの実行において、判定プログラム２７３ｂの実行により判定されたソース機器１００から送信される映像信号のフォーマットを、当該ソース機器１００の機器ＩＤに対応づけて記憶する。
【００４３】
ＲＯＭ２７３は、例えば、不揮発性メモリからなるプログラム格納エリアを有しており、具体的には、フォーマット信号受信プログラム２７３ａ、判定プログラム２７３ｂ、設定プログラム２７３ｃ、ＥＤＩＤ送信プログラム２７３ｄ、映像信号受信プログラム２７３ｅ等を格納している。
【００４４】
フォーマット信号受信プログラム２７３ａは、例えば、ＣＰＵ２７１に、ソース機器１００におけるフォーマット信号送信プログラム１６３ａの実行により、ＨＤＭＩにおけるホットプラグラインＬ３を介して送信されたフォーマット信号を受信する機能を実現させるためのプログラムである。
具体的には、ＣＰＵ２７１は、ソース機器１００が接続されたことを示すフォーマット信号を供給するホットプラグラインＬ３の電圧値を、図示しない電圧検出回路により監視している。ＣＰＵ２７１は、ホットプラグラインＬ３の電圧値が０Ｖである場合には、ＨＤＭＩケーブルＣ１が未接続であるとする。そして、シンク機器２００にソース機器１００が接続され、フォーマット信号が送信されると、通信部２１のＨＤＭＩ端子２１１において、ホットプラグラインＬ３を介して伝送された当該フォーマット信号が受信される。ＣＰＵ２７１は、ＨＤＭＩ端子２１１においてフォーマット信号を受信すると、ソース機器１００が接続されたことを認識する。さらに、ＣＰＵ２７１は、後述の判定プログラム２７３ｂの実行において、受信したフォーマット信号の電圧値を、図示しない電圧検出回路により検出することにより、ソース機器１００から送信される映像信号のフォーマットを知ることができる。
ＣＰＵ２７１は、かかるフォーマット信号受信プログラム２７３ａを実行することにより、ＨＤＭＩ端子２１１とともに受信手段として機能する。
【００４５】
判定プログラム２７３ｂは、例えば、ＣＰＵ２７１に、フォーマット信号受信プログラム２７３ａの実行により受信されたフォーマット信号の電圧値に基づいて、映像信号のフォーマットを判定する機能を実現させるためのプログラムである。
具体的には、ＣＰＵ２７１は、前述のフォーマット信号受信プログラム２７３ａの実行により、シンク機器２００からホットプラグラインＬ３を介して送信されたフォーマット信号が受信されると、受信したフォーマット信号の電圧値を、図示しない電圧検出回路に検出させる。そして、対応映像フォーマット記憶部２７２２ｂを参照し、対応映像フォーマット記憶部２７２２ｂにおいて、フォーマット信号の電圧値に対応付けられているフォーマットを、ソース機器１００から送信される映像信号のフォーマットとして判定する。
例えば、図４の対応映像フォーマット記憶部２７２２ｂの例において、ソース機器１００から送信されたフォーマット信号が２Ｖである場合、ＣＰＵ２７１は、ソース機器１００から送信される映像信号のフォーマットは、４８０ｐであると判定する。
ＣＰＵ２７１は、かかる判定プログラム２７３ｂの実行により、判定手段として機能する。
【００４６】
設定プログラム２７３ｃは、例えば、ＣＰＵ２７１に、判定プログラム２７３ｂの実行による判定結果に基づいて、映像出力の設定を行う機能を実現させるためのプログラムである。
具体的には、ＣＰＵ２７１は、前述の判定プログラム２７３ｂの実行により、ソース機器１００からホットプラグラインＬ３を介して送信されたフォーマット信号に基づいて、ソース機器１００から送信される映像信号のフォーマットが判定されると、当該フォーマットに関する情報を、設定フォーマット記憶部２７２２ｃに、ソース機器１００の機器ＩＤと対応づけて記憶させるとともに、当該フォーマットに基づいて、映像処理部２２における映像出力の設定処理を行う。そして、映像処理部２２における設定処理が終了すると、図示しないミュート回路における映像ミュートを解除する。
ＣＰＵ２７１は、かかる設定プログラム２７３ｃを実行することにより、設定手段として機能する。
【００４７】
ＥＤＩＤ送信プログラム２７３ｄは、例えば、ＣＰＵ２７１に、ＨＤＭＩを介してＥＤＩＤデータを、ソース機器１００に送信する機能を実現させるためのプログラムである。
具体的には、ＣＰＵ２７１は、前述の設定プログラム２７３ｃの実行による映像処理部２２における設定処理が開始すると、ＥＤＩＤ記憶部２７２２ａに記憶された、当該シンク機器２００が表示可能な映像フォーマットに関するＥＤＩＤデータを、ＥＤＩＤ記憶部２７２２ａから取得し、当該ＥＤＩＤデータを、ＨＤＭＩケーブルＣ１のＤＤＣラインＬ２により、ソース機器１００に送信する。
なお、ＥＤＩＤデータをソース機器１００に送信するタイミングは、映像処理部２２における設定処理の開始後に限られない。例えば、ホットプラグラインＬ３を介して送信されたフォーマット信号に基づいて、ソース機器１００を認識した直後に、ＥＤＩＤデータを送信しても良い。
【００４８】
映像信号受信プログラム２７３ｅは、例えば、ＣＰＵ２７１に、ソース機器１００における前述の映像信号送信プログラム１６３ｃの実行により、ＨＤＭＩケーブルＣ１を介して送信される映像信号を、通信部２１のＨＤＭＩ端子２１１において、受信するためのプログラムである。
具体的には、ＣＰＵ２７１は、ＨＤＭＩケーブルＣ１のＴＭＤＳラインＬ１を介して送信される映像信号を、通信部２１のＨＤＭＩ端子２１１において受信する。ＣＰＵ２７１は、映像信号を受信すると、受信した映像信号を映像処理部２２に出力して所定の映像処理を行い、表示部２４に出力する。
【００４９】
ここで、ソース機器１００及びシンク機器２００の間で行われるＥＤＩＤデータの確認処理と並行して、シンク機器２００側で、映像処理部２２における映像出力の設定処理が行われている。そのため、当該映像信号受信プログラム２７３ｅの実行により、ソース機器１００からＴＭＤＳラインＬ１を介して送信される映像信号を、シンク機器２００が受信する時点では、既に、シンク機器２００の映像処理部２２における映像出力の設定処理が終了していることとなる。すなわち、シンク機器２００では、ソース機器１００から送信される映像信号の受信後、遅滞無く、ディスプレイ２４ａに映像を映出できることとなる。
【００５０】
次に、図６のフローチャートを参照しながら、ソース機器１００及びシンク機器２００の間で行われる映像送受信処理について説明する。
【００５１】
まず、ステップＳ１において、ソース機器１００及びシンク機器２００がＨＤＭＩケーブルＣ１で接続される。すると、ステップＳ２において、ソース機器１００のＣＰＵ１６１は、ソース機器１００とシンク機器２００とが接続されたことを示すとともに、ソース機器１００の送信する映像信号のフォーマットに対応する電圧値のフォーマット信号を、通信部１４のＨＤＭＩ端子１４１により、ＨＤＭＩケーブルＣ１のホットプラグラインＬ３を介してシンク機器２００に送信する。
【００５２】
ステップＳ３において、シンク機器２００のＣＰＵ２７１は、ＨＤＭＩケーブルＣ１のホットプラグラインＬ３を介して送信されるフォーマット信号を、通信部２１のＨＤＭＩ端子２１１により受信すると、ステップＳ４において、受信したフォーマット信号に基づいて、ソース機器１００が接続されたことを認識する。そして、ステップＳ５において、受信したフォーマット信号の電圧値を電圧検出回路(図示省略)に検出させ、検出され電圧値に基づいて、ソース機器１００から送信される映像信号のフォーマットを判定する。ステップＳ６において、ＣＰＵ２７１は、ソース機器１００から送信される映像信号のフォーマットとして判定されたフォーマットを、設定フォーマット記憶部２７２２ｃに格納して設定する。そして、ステップＳ７において、設定したフォーマットに基づいて、映像処理部２２における映像出力の設定処理を開始する。また、ＣＰＵ２７１は、映像処理部２２における設定処理を開始すると、ステップＳ８において、ＥＤＩＤ記憶部２７２２ａに記憶されたＥＤＩＤデータに基づいて、シンク機器２００の対応する映像信号のフォーマットに関するＥＤＩＤデータを、ＨＤＭＩケーブルＣ１のＤＤＣラインＬ２を介して、シンク機器２００に送信する。
【００５３】
ステップＳ９において、ソース機器１００のＣＰＵ１６１は、ＨＤＭＩケーブルＣ１のＤＤＣラインＬ２を介して送信されたＥＤＩＤデータを、通信部１４に備わるＨＤＭＩ端子１４１において受信すると、ステップＳ１０において、受信したＥＤＩＤデータに基づいて、送信する映像信号のフォーマットに、シンク機器２００が対応しているか否かを判断する確認処理を行う。
ソース機器１００において、ＥＤＩＤデータの確認が行われている一方で、シンク機器２００のＣＰＵ２７１は、ＥＤＩＤデータの送信後のステップＳ１１において、映像処理部２２における映像出力の設定処理を終了するとともに、ステップＳ１２において、図示しないミュート回路における映像ミュートを解除する。
【００５４】
そして、ソース機器１００のＣＰＵ１６１は、ステップＳ１３において、再生部１１により再生され、デコーダ部１２においてデコードされた映像信号を、フォーマット変換部１３において、シンク機器２００の表示可能な映像信号のフォーマットに変換する処理を行い、ＨＤＭＩケーブルＣ１のＴＭＤＳラインＬ１により、シンク機器２００に対して送信し、本処理を終了する。すると、ステップＳ１４において、シンク機器２００のＣＰＵ２７１は、ソース機器１００から送信された映像信号を、通信部２１のＨＤＭＩ端子２１１により受信するとともに、ディスプレイ２４ａに、受信した映像信号に基づく映像信号を映出させ、本処理を終了する。
【００５５】
以上説明した実施形態１の信号入力システムＡによれば、ソース機器１００において、ＣＰＵ１６１によるフォーマット信号送信プログラム１６３ａの実行により、ＨＤＭＩケーブルＣ１におけるホットプラグラインＬ３を介して、映像信号のフォーマットに対応する電圧値のフォーマット信号が、シンク機器２００に送信される。また、シンク機器２００において、ＣＰＵ２７１によるフォーマット信号受信プログラム２７３ａの実行により、フォーマット送信プログラム１６３ａの実行により、ホットプラグラインＬ３を介して送信されたフォーマット信号が受信され、判定プログラム２７３ｂの実行により、フォーマット信号受信プログラム２７３ａの実行により受信されたフォーマット信号の電圧値に基づいて、映像信号のフォーマットが判定され、設定プログラム２７３ｃの実行により、判定プログラム２７３ｂの実行による判定結果に基づいて、映像出力の設定が行われる。さらに、ホットプラグラインＬ３は、ソース機器１００及びシンク機器２００が接続されていることを示すホットプラグ信号を送受信するためのラインであり、フォーマット信号は、ホットプラグ信号としての機能を有する。
したがって、ソース機器１００及びシンク機器２００が接続された際に、ソース機器１００からシンク機器２００に対して、ホットプラグラインＬ３を介して、両機器１００、２００が接続されていることを示すとともに、映像信号のフォーマットに対応する電圧値のフォーマット信号が送信される。そのため、ソース機器１００及びシンク機器２００が、ＨＤＭＩにより相互接続される信号入力システムＡにおいて、機器同士の接続後のタイミングで、シンク機器２００における映像出力の設定を開始することが可能となり、機器同士の接続後の映像出力までの時間を短縮することができる。
【００５６】
（実施形態２）
次に、実施形態２の信号入力システムＢの全体構成について、図７を参照しながら説明する。なお、実施形態１の信号入力システムＡと同一部分には、同じ符号を付して、その説明を省略することとする。
【００５７】
本実施形態２の信号入力システムＢは、ソース機器３００とシンク機器４００が、ＨＤＭＩ規格のＨＤＭＩケーブルＣ２により、相互に接続されており、ソース機器３００からシンク機器４００に対して、映像信号や音声信号が伝送される。
【００５８】
ＨＤＭＩケーブルＣ２は、例えば、映像信号や音声信号をＴＭＤＳ形式で送信するためのＴＭＤＳラインＬ１と、ＥＤＩＤデータを送受信するためのＤＤＣラインＬ２と、ソース機器３００及びシンク機器４００が接続されたことを検出するためのホットプラグラインＬ３（第１のライン）と、第１音声フォーマットラインＬ４（第２のライン）と、第２音声フォーマットラインＬ５（第２のライン）と、を備えている。なお、ＨＤＭＩ端子３４１、４１１のピン配列では、ホットプラグラインＬ３は、例えば、１９ピンに割り当てられる。また、第１音声フォーマットラインＬ４は、例えば、１４ピンに割り当てられる。さらに、第２音声フォーマットラインＬ５は、例えば、２０番目の２０ピンを新たに設けて、当該２０ピンに割り当てるように構成する。
ホットプラグラインＬ３は、実施形態１と同様に、ソース機器３００及びシンク機器４００の制御部３６、４７（図８及び図９参照）同士を接続し、両機器３００、４００が接続された際に、各機器３００、４００の制御部３６、４７間で最も早く信号の送受信が行われるように構成されている。そして、ホットプラグラインＬ３を介して伝送される信号の電圧値を、ソース機器３００側からシンク機器４００に送信される映像信号のフォーマットに対応させて可変とし、これを、両機器３００、４００間が接続されたことを示すとともに、送信される映像信号のフォーマットを示す映像フォーマット信号（第１フォーマット信号）として用いることにより、ケーブル接続判定後の映像出力までの時間を短縮する。
【００５９】
さらに、本実施形態２の信号入力システムＢでは、ホットプラグラインＬ３と同様に、第１音声フォーマットラインＬ４及び第２音声フォーマットラインＬ５を、ソース機器３００及びシンク機器４００の制御部３６、４７同士を接続して、両機器３００、４００の接続時に、最も早く信号の送受信が行われるラインとして構成する。そして、第１音声フォーマットラインＬ４及び第２音声フォーマットラインＬ５を介して、ソース機器３００からシンク機器４００に対して、音声フォーマット信号（第２フォーマット信号）を送信するとともに、当該音声フォーマット信号を、ソース機器３００側から送信される音声信号のフォーマットに対応する電圧値に対応させて可変とすることにより、映像出力に加えて、ケーブル接続判定後の音声出力までの時間の短縮をも実現する。
【００６０】
また、本実施形態２の信号入力システムＢでは、実施形態１の信号入力システムＡと同様に、ホットプラグラインＬ３により送受信する映像フォーマット信号の示す映像信号のフォーマットを、映像信号の走査線数（有効走査線数）と、走査方式（すなわち、インターレース方式／プログレッシブ方式）であるものとして説明するが、映像フォーマット信号の示す映像信号のフォーマットは、これに限らずとも良い。
また、本実施形態２の信号入力システムＢでは、第１音声フォーマットラインＬ４により送受信する音声フォーマット信号の示す音声信号のフォーマットを、ＰＣＭ（Pulse Code Modulation）等のオーディオタイプであるとするとともに、第２音声フォーマットラインＬ５により送受信する音声フォーマット信号の示す音声信号のフォーマットをサンプリング周波数であるものとして説明する。しかしながら、音声フォーマット信号の示す音声信号のフォーマットは、これらに限らずとも良い。例えば、オーディオタイプがＭＰ３（MPEG1 Audio Layer 3）である場合には、サンプリング周波数の代わりに、ビットレートを第２音声フォーマットラインＬ５により送信する音声フォーマット信号に割り当てても良い。
また映像フォーマット信号・音声フォーマット信号を伝送するラインの種類も、ホットプラグラインＬ３・第１フォーマットライン・第２フォーマットラインに限られず、また、伝送する映像フォーマット信号及び音声フォーマット信号の内容に合わせて、それぞれ異なる数のラインにより映像フォーマット信号及び音声フォーマット信号を伝送しても良い。
【００６１】
（ソース機器の構成）
次に、図８を参照しながら、ソース機器３００の構成について説明する。ソース機器３００は、例えば、ＤＶＤプレーヤ等の再生装置であり、シンク機器４００とＨＤＭＩケーブルＣ２により接続されている。そして、ＤＶＤに記録された映像信号等を再生し、再生した映像信号をシンク機器４００に対して送信する。
【００６２】
ソース機器３００は、例えば、図示しないＤＶＤに記録された映像データを読み出す再生部１１と、再生部１１において読み出された映像データに所定のデコード処理を行うデコーダ部１２と、デコーダ部１２から出力される映像データを、制御部３６に指示に従って所定の映像フォーマットに変換するフォーマット変換部３３と、フォーマット変換部３３から入力される映像データをシンク機器４００等の外部機器に送信する通信部３４と、ユーザが各種指示を入力するためのキー操作部１５と、ソース機器３００の各部を統括制御する制御部３６と、等を備えて構成されている。
【００６３】
フォーマット変換部３３は、例えば、後述の映像信号送信プログラム３６３ｄの実行において、制御部３６による制御に従い、デコーダ部１２から出力される映像信号を、送信フォーマット記憶部３６２２ａに記憶される映像のフォーマットに変換して、通信部３４に出力する。また、後述の音声信号送信プログラム３６３ｅの実行において、制御部３６による制御に従い、デコーダ部１２から出力される音声信号を、送信フォーマット記憶部３６２２ａに記憶される音声のフォーマットに変換して、通信部３４に出力する。
【００６４】
通信部３４は、ＨＤＭＩ規格に対応するＨＤＭＩ端子３４１を備え、当該ＨＤＭＩ端子３４１と、シンク機器４００に備わるＨＤＭＩ端子４１１（後述）と、を接続するＨＤＭＩケーブルＣ２を介して、シンク機器４００との間で、映像信号や制御信号等の各種信号の伝送を行う。
具体的には、通信部３４は、後述の映像フォーマット信号送信プログラム３６３ａの実行において、ＨＤＭＩケーブルＣ２のホットプラグラインＬ３を介して、シンク機器４００及びソース機器３００の接続状態と、送信する映像信号のフォーマットと、を示す映像フォーマット信号を、シンク機器４００側に送信する。また、通信部３４は、後述の音声フォーマット信号送信プログラム３６３ｂの実行において、ＨＤＭＩケーブルＣ２の第１音声フォーマットラインＬ４及び第２音声フォーマットラインＬ５を介して、送信する音声信号のフォーマットを示す音声フォーマット信号を、シンク機器４００側に送信する。
また、通信部３４は、後述する映像信号送信プログラム３６３ｄ及び音声信号送信プログラム３６３ｅの実行において、再生部１１において再生された映像信号及び音声信号を、ＨＤＭＩケーブルＣ２のＴＭＤＳラインＬ１を介してシンク機器４００に送信する。
【００６５】
制御部３６は、ＣＰＵ３６１、メモリ部３６２、ＲＯＭ３６３等を備えて構成されている。
【００６６】
ＣＰＵ３６１は、ソース機器３００の各部から入力された入力信号や、キー操作部１５における各種キーの押下操作に基づく入力操作信号等に応じて、ＲＯＭ３６３に格納された各種プログラムを実行するとともに、実行にかかるプログラムに基づいてソース機器３００の各部に出力信号を出力することにより、ソース機器３００の動作全般を統括制御する。
【００６７】
メモリ部３６２は、ＥＰＲＯＭ（Erasable Programmable ROM）等の不揮発性メモリからなるデータエリア３６２２を備えている。データエリア３６２２には、例えば、送信フォーマット記憶部３６２２ａが設けられている。
送信フォーマット記憶部３６２２ａは、シンク機器４００に送信する映像信号及び音声信号のフォーマットを記憶しており、当該送信フォーマット記憶部３６２２ａに記憶されたフォーマットに基づくフォーマットに変換されて、映像信号及び音声信号が送信されることとなる。
【００６８】
ＲＯＭ３６３は、例えば、不揮発性メモリからなるプログラム格納エリアを有しており、具体的には、映像フォーマット信号送信プログラム３６３ａ、音声フォーマット信号送信プログラム３６３ｂ、ＥＤＩＤ確認プログラム３６３ｃ、映像信号送信プログラム３６３ｄ、音声信号送信プログラム３６３ｅ等を格納している。
【００６９】
映像フォーマット信号送信プログラム３６３ａは、例えば、ＣＰＵ３６１に、ＨＤＭＩにおけるホットプラグラインＬ３を介して、映像信号のフォーマットに対応する電圧値の映像フォーマット信号を、シンク機器４００に送信する機能を実現させるためのプログラムである。
具体的には、ＣＰＵ３６１は、シンク機器４００が接続されたことを示す映像フォーマット信号を供給するホットプラグラインＬ３の電圧値を、図示しない電圧検出回路により監視するとともに、送信フォーマット記憶部３６２２ａに基づいて、シンク機器４００に対して送信する映像信号のフォーマットに対応する電圧値の映像フォーマット信号を生成する。そして、ソース機器３００とシンク機器４００とが、ＨＤＭＩケーブルＣ２により接続された場合に、生成された映像フォーマット信号が、通信部３４のＨＤＭＩ端子３４１から、ＨＤＭＩケーブルＣ２のホットプラグラインＬ３を介して、シンク機器４００に対して送信されることとなる。この映像フォーマット信号は、シンク機器４００に対して、ソース機器３００が接続されたことを示す機能を果たすとともに、ソース機器３００からシンク機器４００に送信される映像信号のフォーマットを、シンク機器４００側に知らせる機能を果たす。
ＣＰＵ３６１は、かかるフォーマット信号送信プログラムを実行することにより、ＨＤＭＩ端子３４１とともに第１送信手段として機能する。
【００７０】
音声フォーマット信号送信プログラム３６３ｂは、例えば、ＣＰＵ３６１に、ＨＤＭＩにおける第１音声フォーマットラインＬ４及び第２音声フォーマットラインＬ５を介して、音声信号のフォーマットに対応する電圧値の音声フォーマット信号を、シンク機器４００に送信する機能を実現させるためのプログラムである。
具体的には、ＣＰＵ３６１は、送信フォーマット記憶部３６２２ａに基づいて、シンク機器４００に対して送信する音声信号のフォーマットに対応する電圧値の音声フォーマット信号を生成する。そして、ソース機器３００とシンク機器４００とが、ＨＤＭＩケーブルＣ２により接続された場合に、生成された音声フォーマット信号が、通信部３４のＨＤＭＩ端子３４１から、ＨＤＭＩケーブルＣ２の第１音声フォーマットラインＬ４及び第２音声フォーマットラインＬ５を介して、シンク機器４００に対して送信されることとなる。この音声フォーマット信号は、シンク機器４００に対して、ソース機器３００からシンク機器４００に送信される音声信号のフォーマットを、シンク機器４００側に知らせる機能を果たす。例えば、ＣＰＵ３６１は、第１音声フォーマットラインＬ４を介して、音声信号のオーディオタイプを示す音声フォーマット信号を伝送する。そして、オーディオタイプがＰＣＭ等であってサンプリング周波数の指定が必要な場合に、第２音声フォーマットラインＬ５を介して、音声信号のサンプリング周波数を示す音声フォーマット信号を伝送する。
ＣＰＵ３６１は、かかるフォーマット信号送信プログラムを実行することにより、ＨＤＭＩ端子３４１とともに第２送信手段として機能する。
【００７１】
ＥＤＩＤ確認プログラム３６３ｃは、例えば、ＣＰＵ３６１に、シンク機器４００から、ＨＤＭＩを介して送信されるＥＤＩＤデータを受信して、送信する映像信号及び音声信号のフォーマットを確認する機能を実現させるためのプログラムである。
具体的には、ＣＰＵ３６１は、シンク機器４００から、ＨＤＭＩケーブルＣ２のＤＤＣラインＬ２により、シンク機器４００が表示可能な映像フォーマットと、出力可能な音声フォーマットに関するデータであるＥＤＩＤデータが送信されると、当該ＥＤＩＤデータを通信部３４のＨＤＭＩ端子３４１により受信し、受信したＥＤＩＤデータに基づいて、ソース機器３００側から送信する映像信号のフォーマット及び音声信号のフォーマットに、シンク機器４００が対応しているか否かを判断する。
【００７２】
映像信号送信プログラム３６３ｄは、例えば、ＣＰＵ３６１に、通信部３４のＨＤＭＩ端子３４１から、ＨＤＭＩケーブルＣ２を介して、映像信号をシンク機器４００に送信する機能を実現させるためのプログラムである。
具体的には、ＣＰＵ３６１は、前述のＥＤＩＤ確認プログラム３６３ｃの実行において、シンク機器４００から送信されたＥＤＩＤデータに基づいて、送信する映像信号のフォーマットに、シンク機器４００が対応しているかの判断を行い、送信する映像信号のフォーマットにシンク機器４００が対応していると判断した場合には、再生部１１により再生される映像信号を、フォーマット変換部３３において、送信フォーマット記憶部３６２２ａに記憶されたフォーマットに変換し、ＨＤＭＩケーブルＣ２のＴＭＤＳラインＬ１により、シンク機器４００に対して送信する。また、ＣＰＵ３６１は、送信する映像信号のフォーマットに、シンク機器４００が対応していないと判断した場合には、受信したＥＤＩＤデータに基づいて、再生部１１により再生される映像信号を、フォーマット変換部３３において、送信フォーマット記憶部３６２２ａに記憶されたフォーマットよりも下位のフォーマットに変換し、ＨＤＭＩケーブルＣ２のＴＭＤＳラインＬ１により、シンク機器４００に対して送信する。
【００７３】
音声信号送信プログラム３６３ｅは、例えば、ＣＰＵ３６１に、通信部３４のＨＤＭＩ端子３４１から、ＨＤＭＩケーブルＣ２を介して、音声信号をシンク機器４００に送信する機能を実現させるためのプログラムである。
具体的には、ＣＰＵ３６１は、前述のＥＤＩＤ確認プログラム３６３ｃの実行において、シンク機器４００から送信されたＥＤＩＤデータに基づいて、送信する音声信号のフォーマットに、シンク機器４００が対応しているかの判断を行い、送信する音声信号のフォーマットにシンク機器４００が対応していると判断した場合には、受信したＥＤＩＤデータに基づいて、再生部１１により再生される音声信号を、フォーマット変換部３３において、送信フォーマット記憶部３６２２ａに記憶されたフォーマットに変換し、ＨＤＭＩケーブルＣ２のＴＭＤＳラインＬ１により、シンク機器４００に対して送信する。また、ＣＰＵ３６１は、送信する音声信号のフォーマットに、シンク機器４００が対応していないと判断した場合には、再生部１１により再生される音声信号を、フォーマット変換部３３において、送信フォーマット記憶部３６２２ａに記憶されたフォーマットよりも下位のフォーマットに変換し、ＨＤＭＩケーブルＣ２のＴＭＤＳラインＬ１により、シンク機器４００に対して送信する。
【００７４】
（シンク機器の構成）
次に、図９を参照しながら、シンク機器４００の構成について説明する。シンク機器４００は、例えば、テレビジョン受像機等の表示装置であり、ソース機器３００と、ＨＤＭＩケーブルＣ２により接続されている。そして、ソース機器３００から入力される映像信号及び音声信号等に基づいて、ディスプレイ２４ａに映像を表示させるとともに、音声を出力させる。
【００７５】
シンク機器４００は、ソース機器３００等の外部機器との間で、映像信号や制御信号等の各種信号を伝送する通信部４１と、映像信号に対して所定の映像処理を行う映像処理部２２と、音声信号に対して所定の音声処理を行う音声処理部２３と、映像処理部２２から入力される映像データに基づいて映像を表示する表示部２４と、音声処理部２３から入力される音声データに基づいて音声を出力する音声出力部２５と、ユーザが各種指示を入力するためのキー操作部２６と、シンク機器４００の各部を統括制御する制御部４７と、等を備えて構成されている。
【００７６】
通信部４１は、ＨＤＭＩ規格に対応するＨＤＭＩ端子４１１を備え、当該ＨＤＭＩ端子４１１と、ソース機器３００に備わるＨＤＭＩ端子３４１と、を接続するＨＤＭＩケーブルＣ２を介して、ソース機器３００との間で、映像信号や制御信号等の各種信号の伝送を行う。
具体的には、通信部４１は、後述の映像フォーマット信号受信プログラム４７３ａの実行において、ＨＤＭＩケーブルＣ２のホットプラグラインＬ３を介して、ソース機器３００から送信される映像フォーマット信号を受信する。
また、通信部４１は、後述する音声フォーマット信号受信プログラム４７３ｂの実行において、ＨＤＭＩケーブルＣ２の第１音声フォーマットラインＬ４及び第２音声フォーマットラインＬ５を介して、ソース機器３００から送信される音声フォーマット信号を受信する。
また、後述の映像信号受信プログラム４７３ｆ及び音声信号受信プログラム４７３ｇの実行において、ＨＤＭＩケーブルＣ２のＴＭＤＳラインＬ１を介してシンク機器４００から送信される映像信号及び音声信号を受信する。
【００７７】
制御部４７は、ＣＰＵ４７１、メモリ部４７２、ＲＯＭ４７３等を備えて構成されている。
【００７８】
ＣＰＵ４７１は、シンク機器４００の各部から入力された入力信号や、キー操作部２６における各種キーの押下操作に基づく入力操作信号等に応じて、ＲＯＭ４７３に格納された各種プログラムを実行するとともに、実行にかかるプログラムに基づいてシンク機器４００の各部に出力信号を出力することにより、シンク機器４００の動作全般を統括制御する。
【００７９】
メモリ部４７２は、ＥＰＲＯＭ等の不揮発性メモリからなるデータエリア４７２２を備えている。データエリア４７２２には、例えば、ＥＤＩＤ記憶部４７２２ａ、対応映像フォーマット記憶部４７２２ｂ、第１の対応音声フォーマット記憶部４７２２ｃ、第２の対応音声フォーマット記憶部４７２２ｄ、設定フォーマット記憶部４７２２ｅが備わる。
ＥＤＩＤ記憶部４７２２ａは、当該シンク機器４００が表示可能な映像フォーマットと、当該シンク機器４００が出力可能な音声フォーマットに関するデータを記憶する。
【００８０】
対応映像フォーマット記憶部４７２２ｂは、図４に示すように、ホットプラグラインＬ３を介して送受信される映像フォーマット信号の電圧値と、映像信号の各フォーマット（有効走査線数・走査方式）と、をそれぞれ対応づけて記憶している。ＣＰＵ４７１は、後述の判定プログラム４７３ｃの実行において、当該対応映像フォーマット記憶部４７２２ｂを参照して、ソース機器３００からホットプラグラインＬ３を介して送信される映像フォーマット信号の電圧値に対して対応付けられているフォーマットを、ソース機器３００から送信される映像信号のフォーマットとして判定する。
【００８１】
第１の対応音声フォーマット記憶部４７２２ｃは、図１０に示すように、第１音声フォーマットラインＬ４を介して送受信される音声フォーマット信号の電圧値と、音声信号の各フォーマット（オーディオタイプ）と、をそれぞれ対応づけて記憶している。ＣＰＵ４７１は、後述の判定プログラム４７３ｃの実行において、当該対応音声フォーマット記憶部を参照して、ソース機器３００から第１音声フォーマットラインＬ４を介して送信される音声フォーマット信号の電圧値に対して対応付けられているオーディオタイプのフォーマットを、ソース機器３００から送信される音声信号のオーディオタイプのフォーマットとして判定する。
【００８２】
第２の対応音声フォーマット記憶部４７２２ｄは、図１１に示すように、第２音声フォーマットラインＬ５を介して送受信される音声フォーマット信号の電圧値と、音声信号の各フォーマット（サンプリング周波数）と、をそれぞれ対応づけて記憶している。ＣＰＵ４７１は、後述の判定プログラム４７３ｃの実行において、当該対応音声フォーマット記憶部を参照して、ソース機器３００から第２音声フォーマットラインＬ５を介して送信される音声フォーマット信号の電圧値に対して対応付けられているサンプリング周波数のフォーマットを、ソース機器３００から送信される音声信号のサンプリング周波数のフォーマットとして判定する。
【００８３】
設定フォーマット記憶部４７２２ｅは、図１２に示すように、ソース機器３００から送信される映像信号のフォーマットに関する映像フォーマット情報を、ソース機器３００の機器ＩＤに対応づけて記憶している。ＣＰＵ４７１は、後述の設定プログラム４７３ｄの実行において、判定プログラム４７３ｃの実行により判定されたソース機器３００から送信される映像信号のフォーマットを、当該ソース機器３００の機器ＩＤに対応づけて記憶する。
【００８４】
ＲＯＭ４７３は、例えば、不揮発性メモリからなるプログラム格納エリアを有しており、具体的には、映像フォーマット信号受信プログラム４７３ａ、音声フォーマット信号受信プログラム４７３ｂ、判定プログラム４７３ｃ、設定プログラム４７３ｄ、ＥＤＩＤ送信プログラム４７３ｅ、映像信号受信プログラム４７３ｆ、音声信号受信プログラム４７３ｇ等を格納している。
【００８５】
映像フォーマット信号受信プログラム４７３ａは、例えば、ＣＰＵ４７１に、ソース機器３００における映像フォーマット信号送信プログラム３６３ａの実行により、ＨＤＭＩにおけるホットプラグラインＬ３を介して送信された映像フォーマット信号を受信する機能を実現させるためのプログラムである。
具体的には、ＣＰＵ４７１は、ソース機器３００が接続されたことを示す映像フォーマット信号を供給するホットプラグラインＬ３の電圧値を、図示しない電圧検出回路により監視している。ＣＰＵ４７１は、ホットプラグラインＬ３の電圧値が０Ｖである場合には、ＨＤＭＩケーブルＣ２が未接続であるとする。そして、シンク機器４００にソース機器３００が接続され、映像フォーマット信号が送信されると、通信部４１のＨＤＭＩ端子４１１において、ホットプラグラインＬ３を介して伝送された当該映像フォーマット信号が受信される。ＣＰＵ４７１は、ＨＤＭＩ端子４１１において映像フォーマット信号を受信すると、ソース機器３００が接続されたことを認識する。さらに、ＣＰＵ４７１は、後述の判定プログラム４７３ｃの実行において、受信した映像フォーマット信号の電圧値を検出することにより、ソース機器３００から送信される映像信号のフォーマットを知ることができる。
ＣＰＵ４７１は、かかるフォーマット信号受信プログラムを実行することにより、ＨＤＭＩ端子４１１とともに第１受信手段として機能する。
【００８６】
音声フォーマット信号受信プログラム４７３ｂは、例えば、ＣＰＵ４７１に、ソース機器３００における音声フォーマット信号送信プログラム３６３ｂの実行により、ＨＤＭＩにおける第１音声フォーマットラインＬ４及び第２音声フォーマットラインＬ５を介して送信された音声フォーマット信号を受信する機能を実現させるためのプログラムである。
具体的には、ＣＰＵ４７１は、前述の映像フォーマット信号受信プログラム４７３ａの実行により、ＨＤＭＩ端子４１１において映像フォーマット信号を受信して、ソース機器３００が接続されたことを認識すると、ＣＰＵ４７１は、ＨＤＭＩケーブルＣ２の第１音声フォーマットラインＬ４を介して送信されるオーディオタイプを示す音声フォーマット信号を、通信部４１のＨＤＭＩ端子４１１により受信する。また、ＣＰＵ４７１は、ＨＤＭＩケーブルＣ２の第２音声フォーマットラインＬ５を介して送信されるサンプリング周波数を示す音声フォーマット信号を、通信部４１のＨＤＭＩ端子４１１により受信する。そして、ＣＰＵ４７１は、後述の判定プログラム４７３ｃの実行において、受信した音声フォーマット信号の電圧値を、図示しない電圧検出回路により検出することにより、ソース機器３００から送信される音声信号のフォーマットを知ることができる。
ＣＰＵ４７１は、かかるフォーマット信号受信プログラムを実行することにより、ＨＤＭＩ端子４１１とともに第２受信手段として機能する。
【００８７】
判定プログラム４７３ｃは、例えば、ＣＰＵ４７１に、映像フォーマット信号受信プログラム４７３ａ及び音声フォーマット信号受信プログラム４７３ｂの実行により受信された映像フォーマット信号及び音声フォーマット信号の電圧値に基づいて、映像信号のフォーマットと、音声信号のフォーマットを判定する機能を実現させるためのプログラムである。
具体的には、ＣＰＵ４７１は、前述の映像フォーマット信号受信プログラム４７３ａの実行により、シンク機器４００からホットプラグラインＬ３を介して送信された映像フォーマット信号が受信されると、受信した映像フォーマット信号の電圧値を、図示しない電圧検出回路により検出する。そして、対応映像フォーマット記憶部４７２２ｂを参照し、対応映像フォーマット記憶部４７２２ｂにおいて、映像フォーマット信号の電圧値に対応付けられているフォーマットを、ソース機器３００から送信される映像信号のフォーマットとして判定する。
【００８８】
また、ＣＰＵ４７１は、前述の音声フォーマット信号受信プログラム４７３ｂの実行により、シンク機器４００から第１音声フォーマットラインＬ４及び第２音声フォーマットラインＬ５を介して送信された音声フォーマット信号が受信されると、各ラインＬ４、Ｌ５を介して受信した各音声フォーマット信号の電圧値を、図示しない電圧検出回路により検出する。そして、第１の対応音声フォーマット記憶部４７２２ｃと、第２の対応音声フォーマット記憶部４７２２ｄを参照し、当該第１の対応音声フォーマット記憶部４７２２ｃ及び第２の対応音声フォーマット記憶部４７２２ｄにおいて、音声フォーマット信号の電圧値に対応付けられているフォーマットを、ソース機器３００から送信される音声信号のフォーマットとして判定する。
例えば、図１０の第１の対応音声フォーマット記憶部４７２２ｃの例において、ソース機器３００から送信された音声フォーマット信号が５Ｖである場合、ＣＰＵ４７１は、ソース機器３００から送信される音声信号のオーディオタイプのフォーマットは、ＰＣＭであると判定する。また、例えば、図１１の第２の対応音声フォーマット記憶部４７２２ｄの例において、ソース機器３００から送信された音声フォーマット信号が４Ｖである場合、ＣＰＵ４７１は、ソース機器３００から送信される音声信号のサンプリング周波数のフォーマットは、４８ｋＨｚであると判定する。
ＣＰＵ４７１は、かかる判定プログラム４７３ｃの実行により、第１判定手段及び第２判定手段として機能する。
【００８９】
設定プログラム４７３ｄは、例えば、ＣＰＵ４７１に、判定プログラム４７３ｃの実行による判定結果に基づいて、映像出力の設定と、音声出力の設定を行う機能を実現させるためのプログラムである。
具体的には、ＣＰＵ４７１は、前述の判定プログラム４７３ｃの実行により、ソース機器３００からホットプラグラインＬ３を介して送信された映像フォーマット信号に基づいて、ソース機器３００から送信される映像信号のフォーマットが判定されるととともに、ソース機器３００から第１音声フォーマットラインＬ４及び第２音声フォーマットラインＬ５を介して送信される音声フォーマット信号に基づいて、ソース機器３００から送信される音声信号のフォーマットが判定されると、当該映像・音声のフォーマットに関する情報を、設定フォーマット記憶部４７２２ｅに、ソース機器３００の機器ＩＤと対応づけて記憶させる。そして、当該映像・音声のフォーマットに基づいて、映像処理部２２における映像出力の設定処理と、音声処理部２３における音声出力の設定処理を行う。そして、映像処理部２２又は音声出力部２５における設定処理が終了すると、図示しないミュート回路における映像ミュート及び音声ミュートをそれぞれ解除する。
ＣＰＵ４７１は、かかる設定プログラム４７３ｄを実行することにより、第１設定手段及び第２設定手段として機能する。
【００９０】
ＥＤＩＤ送信プログラム４７３ｅは、例えば、ＣＰＵ４７１に、ＨＤＭＩを介してＥＤＩＤデータを、ソース機器３００に送信する機能を実現させるためのプログラムである。
具体的には、ＣＰＵ４７１は、前述の設定プログラム４７３ｄの実行による映像処理部２２における設定処理と、音声処理部２３における設定処理が開始すると、ＥＤＩＤ記憶部４７２２ａに記憶された、当該シンク機器４００が表示可能な映像フォーマット及び音声フォーマットに関するＥＤＩＤデータを、ＥＤＩＤ記憶部４７２２ａから取得し、当該ＥＤＩＤデータを、ＨＤＭＩケーブルＣ２のＤＤＣラインＬ２により、ソース機器３００に送信する。
なお、ＥＤＩＤデータをソース機器３００に送信するタイミングは、映像処理部２２及び音声処理部２３における設定処理の開始後に限られない。例えば、ホットプラグラインＬ３を介して送信された映像フォーマット信号に基づいて、ソース機器３００を認識した直後に、ＥＤＩＤデータを送信しても良い。
【００９１】
映像信号受信プログラム４７３ｆは、例えば、ＣＰＵ４７１に、ソース機器３００における前述の映像信号送信プログラム３６３ｄの実行により、ＨＤＭＩケーブルＣ２を介して送信される映像信号を、通信部４１のＨＤＭＩ端子４１１において、受信するためのプログラムである。
具体的には、ＣＰＵ４７１は、ＨＤＭＩケーブルＣ２のＴＭＤＳラインＬ１を介して送信される映像信号を、通信部４１のＨＤＭＩ端子４１１において受信する。ＣＰＵ４７１は、映像信号を受信すると、受信した映像信号を映像処理部２２に出力して所定の映像処理を行い、表示部２４に出力する。
【００９２】
音声信号受信プログラム４７３ｇは、例えば、ＣＰＵ４７１に、ソース機器３００における前述の音声信号送信プログラム３６３ｅの実行により、ＨＤＭＩケーブルＣ２を介して送信される音声信号を、通信部４１のＨＤＭＩ端子４１１において、受信するためのプログラムである。
具体的には、ＣＰＵ４７１は、ＨＤＭＩケーブルＣ２のＴＭＤＳラインＬ１を介して送信される音声信号を、通信部４１のＨＤＭＩ端子４１１において受信する。ＣＰＵ４７１は、音声信号を受信すると、受信した音声信号を音声処理部２３に出力して所定の音声処理を行い、表示部２４に出力する。
【００９３】
ここで、ソース機器３００及びシンク機器４００の間で行われるＥＤＩＤデータの確認処理と並行して、シンク機器４００側で、映像処理部２２における映像出力の設定処理及び音声処理部２３における音声出力の設定処理が行われている。そのため、当該映像信号受信プログラム４７３ｆ及び音声信号受信プログラム４７３ｇの実行により、ソース機器３００からＴＭＤＳラインＬ１を介して送信される映像信号及び音声信号を、シンク機器４００が受信する時点では、既に、シンク機器４００の映像処理部２２における映像出力の設定処理と、音声処理部２３における音声出力の設定処理が終了していることとなる。すなわち、シンク機器４００では、ソース機器３００から送信される映像信号・音声信号の受信後、遅滞無く、ディスプレイ２４ａに映像を映出できるとともに、音声出力部２５から音声を出力させることができることとなる。
【００９４】
次に、図１３のフローチャートを参照しながら、ソース機器３００及びシンク機器４００の間で行われる映像・音声送受信処理について説明する。
【００９５】
まず、ステップＳ１１において、ソース機器３００及びシンク機器４００がＨＤＭＩケーブルＣ２で接続される。すると、ステップＳ１２において、ソース機器３００のＣＰＵ３６１は、ソース機器３００とシンク機器４００とが接続されたことを示すとともに、ソース機器３００の送信する映像信号のフォーマットに対応する電圧値の映像フォーマット信号を、通信部３４のＨＤＭＩ端子３４１により、ＨＤＭＩケーブルＣ２のホットプラグラインＬ３を介してシンク機器４００に送信するとともに、ソース機器３００の送信する音声信号のフォーマットに対応する電圧値の音声フォーマット信号を、ＨＤＭＩケーブルＣ２の第１音声フォーマットラインＬ４及び第２音声フォーマットラインＬ５を介してシンク機器４００に送信する。
【００９６】
ステップＳ１３において、シンク機器４００のＣＰＵ４７１は、ＨＤＭＩケーブルＣ２のホットプラグラインＬ３を介して送信される映像フォーマット信号と、ＨＤＭＩケーブルＣ２の第１音声フォーマットラインＬ４及び第２音声フォーマットラインＬ５を介して送信される音声フォーマット信号を、通信部４１のＨＤＭＩ端子４１１により受信すると、ステップＳ１４において、受信した映像フォーマット信号に基づいて、ソース機器３００が接続されたことを認識する。そして、ステップＳ１５において、受信した映像フォーマット信号の電圧値と、音声フォーマット信号の電圧値を、電圧検出回路（図示省略）にそれぞれ検出させ、検出された各電圧値に基づいて、ソース機器３００から送信される映像信号のフォーマットと音声信号のフォーマットを判定する。ステップＳ１６において、ＣＰＵ４７１は、ソース機器３００から送信される映像信号及び音声信号のフォーマットとして判定された各フォーマットを、設定フォーマット記憶部４７２２ｅに格納して設定する。そして、ステップＳ１７において、設定したフォーマットに基づいて、映像処理部２２における映像出力の設定処理と、音声処理部２３における音声出力の設定処理を開始する。また、ＣＰＵ４７１は、映像処理部２２及び音声処理部２３における設定処理を開始すると、ステップＳ１８において、ＥＤＩＤ記憶部４７２２ａに記憶されたＥＤＩＤデータに基づいて、シンク機器４００の対応する映像信号及び音声信号のフォーマットに関するＥＤＩＤデータを、ＨＤＭＩケーブルＣ２のＤＤＣラインＬ２を介して、シンク機器４００に送信する。
【００９７】
ステップＳ１９において、ソース機器３００のＣＰＵ３６１は、ＨＤＭＩケーブルＣ２のＤＤＣラインＬ２を介して送信されたＥＤＩＤデータを、通信部３４に備わるＨＤＭＩ端子３４１において受信すると、ステップＳ２０において、受信したＥＤＩＤデータに基づいて、送信する映像信号のフォーマットと、音声信号のフォーマットに、シンク機器４００が対応しているか否かを判断する確認処理を行う。
ソース機器３００において、ＥＤＩＤデータの確認が行われている一方で、シンク機器４００のＣＰＵ４７１は、ＥＤＩＤデータの送信後のステップＳ２１において、映像処理部２２における映像出力の設定処理と、音声処理部２３における音声出力の設定処理を終了するとともに、ステップＳ２２において、図示しないミュート回路における映像ミュートと、音声ミュートを解除する。
【００９８】
そして、ソース機器３００のＣＰＵ３６１は、ステップＳ２３において、再生部１１により再生され、デコーダ部１２においてデコードされた映像信号を、フォーマット変換部３３において、シンク機器４００の表示可能な映像信号／音声信号のフォーマットに変換する処理を行い、ＨＤＭＩケーブルＣ２のＴＭＤＳラインＬ１により、シンク機器４００に対して送信し、本処理を終了する。すると、ステップＳ２４において、シンク機器４００のＣＰＵ４７１は、ソース機器３００から送信された映像信号及び音声信号を、通信部４１のＨＤＭＩ端子４１１により受信して、ディスプレイ２４ａに、受信した映像信号に基づく映像信号を映出させるとともに、音声出力部２５のスピーカ２５ａから、受信した音声信号に基づく音声を出力させ、本処理を終了する。
【００９９】
以上説明した実施形態２の信号入力システムＢによれば、ソース機器３００において、ＣＰＵ３６１による映像フォーマット信号送信プログラム３６３ａの実行により、ＨＤＭＩケーブルＣ２におけるホットプラグラインＬ３を介して、映像信号のフォーマットに対応する電圧値の映像フォーマット信号が、シンク機器４００に送信され、音声フォーマット信号送信プログラム３６３ｂの実行により、ＨＤＭＩケーブルＣ２の第１音声フォーマットラインＬ４及び第２音声フォーマットラインＬ５を介して、音声信号のフォーマットに対応する電圧値の音声フォーマット信号が、シンク機器４００に送信される。また、シンク機器４００において、ＣＰＵ４７１による映像フォーマット信号受信プログラム４７３ａの実行により、映像フォーマット信号送信プログラム３６３ａの実行により、ホットプラグラインＬ３を介して送信された映像フォーマット信号が受信され、音声フォーマット信号受信プログラム４７３ｂの実行により、音声フォーマット信号送信プログラム３６３ｂの実行により、第１音声フォーマットラインＬ４及び第２音声フォーマットラインＬ５を介して送信された音声フォーマット信号が受信される。また、ＣＰＵ４７１による判定プログラム４７３ｃの実行により、映像フォーマット信号受信プログラム４７３ａにより受信された映像フォーマット信号の電圧値に基づいて、映像信号のフォーマットが判定されるとともに、音声フォーマット信号受信プログラム４７３ｂにより受信された音声フォーマット信号の電圧値に基づいて、音声信号のフォーマットが判定され、設定プログラム４７３ｄの実行により、判定プログラム４７３ｃによる判定結果に基づいて、映像出力の設定が行われるとともに、音声出力の設定が行われる。また、ホットプラグラインＬ３は、ソース機器３００及びシンク機器４００が接続されていることを示すホットプラグ信号を送受信するためのラインであり、映像フォーマット信号は、ホットプラグ信号としての機能を有する。
したがって、ソース機器３００及びシンク機器４００が接続された際に、ソース機器３００からシンク機器４００に対して、ＨＤＭＩケーブルＣ２のホットプラグラインＬ３を介して、両機器３００、４００が接続されていることを示すとともに、映像信号のフォーマットに対応する電圧値の映像フォーマット信号が送信されるとともに、ＨＤＭＩケーブルＣ２の第１音声フォーマットラインＬ４及び第２音声フォーマットラインＬ５を介して、音声信号のフォーマットに対応する電圧値の音声フォーマット信号が送信される。そのため、ソース機器３００及びシンク機器４００が、ＨＤＭＩにより相互接続される信号入力システムＢにおいて、機器同士の接続後のタイミングで、シンク機器４００における映像出力の設定処理及び音声出力の設定処理を開始することが可能となり、機器同士の接続後の映像出力及び音声出力までの時間を短縮することができる。
【０１００】
なお、本発明は、上記実施の形態に限られることなく、本発明の趣旨を逸脱しない範囲において、種々の改良並びに設計の変更を行っても良い。
例えば、実施形態２の信号入力システムＢでは、オーディオタイプを示す音声フォーマット信号と、サンプリング周波数を示す音声フォーマット信号を、２つのラインにより送受信する構成とした。しかしながら、音声信号のフォーマットを示す音声フォーマット信号の送信方法は、これに限られることなく、例えば、１つのラインにより、２種類の音声フォーマット信号を、所定の周期で交互に送受信するように構成しても良い。
また、実施形態２の信号入力システムＢでは、ホットプラグ信号としての機能を、第１フォーマット信号としての映像フォーマット信号に備えるように構成したが、第２フォーマット信号としての音声フォーマット信号がホットプラグ信号としての機能を有していても良い。
また、信号入力システムＡ、Ｂにおいて、ソース機器１００、３００から送信されるシンク機器２００、４００に送信されるフォーマット信号に基づいて、シンク機器２００、４００が、ソース機器から送信される映像信号のフォーマットに対応していないと判断した場合には、シンク機器２００、４００の対応するフォーマットのうち、最も高解像度のフォーマットに基づいて映像処理部２２における設定処理を行うように構成しても良い。
【図面の簡単な説明】
【０１０１】
【図１】実施形態１における信号入力システムの全体構成を例示するブロック図である。
【図２】実施形態１の信号入力システムを構成するソース機器の要部構成を例示するブロック図である。
【図３】実施形態１の信号入力システムを構成するシンク機器の要部構成を例示するブロック図である。
【図４】対応映像フォーマット記憶部を例示する図である。
【図５】実施形態１の信号入力システムに備わる設定フォーマット記憶部を例示する図である。
【図６】実施形態１の信号入力システムにおいて行われる映像送受信処理を示すフローチャートである。
【図７】実施形態２における信号入力システムの全体構成を例示するブロック図である。
【図８】実施形態２の信号入力システムを構成するソース機器の要部構成を例示するブロック図である。
【図９】実施形態２の信号入力システムを構成するシンク機器の要部構成を例示するブロック図である。
【図１０】実施形態１の信号入力システムに備わる第１の対応音声フォーマット記憶部を例示する図である。
【図１１】実施形態１の信号入力システムに備わる第２の対応音声フォーマット記憶部を例示する図である。
【図１２】実施形態２の信号入力システムに備わる設定フォーマット記憶部を例示する図である。
【図１３】実施形態２の信号入力システムにおいて行われる映像・音声送受信処理を示すフローチャートである。
【符号の説明】
【０１０２】
Ａ        信号入力システム
Ｃ１      ＨＤＭＩケーブル（ＨＤＭＩ）
Ｌ３      ホットプラグライン（第１のライン）
１００    ソース機器
１４１    ＨＤＭＩ端子（ＨＤＭＩ、送信手段）
１６１    ＣＰＵ（送信手段）
１６３ａ  フォーマット信号送信プログラム（送信手段）
２００    シンク機器
２１１    ＨＤＭＩ端子（ＨＤＭＩ、受信手段）
２７１    ＣＰＵ（受信手段、判定手段、設定手段）
２７３ａ  フォーマット信号受信プログラム（受信手段）
２７３ｂ  判定プログラム（判定手段）
２７３ｃ  設定プログラム（設定手段）
Ｂ        信号入力システム
Ｃ２      ＨＤＭＩケーブル（ＨＤＭＩ）
Ｌ４      第１音声フォーマットライン（第２のライン）
Ｌ５      第２音声フォーマットライン（第２のライン）
３００    ソース機器
３４１    ＨＤＭＩ端子（ＨＤＭＩ、第１送信手段、第２送信手段）
３６１    ＣＰＵ（第１送信手段、第２送信手段）
３６３ａ  映像フォーマット信号送信プログラム（第１送信手段）
３６３ｂ  音声フォーマット信号送信プログラム（第２送信手段）
４００    シンク機器
４１１    ＨＤＭＩ端子（ＨＤＭＩ、第１受信手段、第２受信手段）
４７１    ＣＰＵ（第１受信手段、第２受信手段、第１判定手段、第２判定手段、第１設定手段、第２設定手段）
４７３ａ  映像フォーマット信号受信プログラム（第１受信手段）
４７３ｂ  音声フォーマット信号受信プログラム（第２受信手段）
４７３ｃ  判定プログラム（第１判定手段、第２判定手段）
４７３ｄ  設定手段（第１設定手段、第２設定手段）
【図１】
2008288958.tif 000003
【図２】
2008288958.tif 000004
【図３】
2008288958.tif 000005
【図４】
2008288958.tif 000006
【図５】
2008288958.tif 000007
【図６】
2008288958.tif 000008
【図７】
2008288958.tif 000009
【図８】
2008288958.tif 000010
【図９】
2008288958.tif 000011
【図１０】
2008288958.tif 000012
【図１１】
2008288958.tif 000013
【図１２】
2008288958.tif 000014
【図１３】
2008288958.tif 000015